(57)【特許請求の範囲】
【請求項１】
基地局（３０１）が無線通信システム（３００）内のユーザ機器（３０５）をスケジューリングできるようにするための、前記ユーザ機器（３０５）における方法であって、前記無線通信システム（３００）は多入力多出力（ＭＩＭＯ）モードにあり、４つの送信アンテナを備え、前記ユーザ機器（３０５）は無線キャリヤ（３０２）を介して前記基地局（３０１）に接続される前記方法は：
共通パイロットインジケータチャネル（ＣＰＩＣＨ）に関する情報に基づいて、チャネル状態情報（ＣＳＩ）を決定すること（７０１）であって、前記ＣＳＩは、チャネル品質情報（ＣＱＩ）、ランクインジケータ（ＲＩ）、プリコーディングチャネルインジケータ（ＰＣＩ）、及びハイブリッド自動再送要求  承認／非承認（ＨＡＲＱ  ＡＣＫ／ＮＡＣＫ）を含む、決定すること（７０１）；並びに
前記基地局（３０１）が前記ユーザ機器（３０５）をスケジューリングできるようにするために、複数の送信時間間隔（ＴＴＩ）に亘って前記基地局（３０１）に前記ＣＳＩを送信すること（７０２）；
を含み、
複数のＴＴＩに亘って前記基地局（３０１）に前記ＣＳＩを前記送信すること（７０２）は：
第１のＴＴＩで前記ＨＡＲＱ  ＡＣＫ／ＮＡＣＫ、前記ＣＱＩ及び前記ＲＩを送信すること（７０２ａ）；
第２のＴＴＩで前記ＨＡＲＱ  ＡＣＫ／ＮＡＣＫ、前記ＣＱＩ及び前記ＰＣＩを送信すること（７０２ｂ）；並びに
第３のＴＴＩで前記ＨＡＲＱ  ＡＣＫ／ＮＡＣＫ、前記ＣＱＩ及び前記ＰＣＩを送信すること（７０２ｃ）
を更に含み、
前記第２のＴＴＩで送信される前記ＰＣＩは、前記ＰＣＩの最も重要なビット（ＰＣＩ  ＭＳＢ）を示し、前記第３のＴＴＩで送信される前記ＰＣＩは、前記ＰＣＩの最も重要でないビット（ＰＣＩ  ＬＳＢ）を示す、方法。
【請求項２】
前記ＨＡＲＱ  ＡＣＫ／ＮＡＣＫ及び前記ＣＱＩは、前記複数のＴＴＩの各ＴＴＩにおいて送信され、前記ＲＩ及び前記ＰＣＩは、前記複数のＴＴＩの部分集合において時間多重化される、請求項１に記載の方法。
【請求項３】
前記ＨＡＲＱ  ＡＣＫ／ＮＡＣＫ、前記ＲＩ及び前記ＰＣＩは、前記複数のＴＴＩの各ＴＴＩにおいて送信され、前記ＣＱＩは、前記複数のＴＴＩの部分集合において時間多重化される、請求項１または２に記載の方法。
【請求項４】
前記ＨＡＲＱ  ＡＣＫ／ＮＡＣＫ、前記ＲＩ、前記ＰＣＩ及び前記ＣＱＩは、前記複数のＴＴＩの各ＴＴＩにおいて送信される、請求項１から３のいずれか１項に記載の方法。
【請求項５】
高速共有制御チャネル（ＨＳ‐ＳＣＣＨ）を用いて、前記基地局（３０１）から前記スケジューリングに関する情報を受信すること（７０３）；及び
高速物理ダウンリンク共有チャネル（ＨＳ‐ＰＤＳＣＨ）を用いて、前記基地局（３０１）からダウンリンクデータトラフィックを受信すること（７０４）
を更に含む、請求項１から４のいずれか１項に記載の方法。
【請求項６】
前記ＣＳＩは、高速専用物理制御チャネル（ＨＳ‐ＤＰＣＣＨ）を用いて前記基地局（３０１）に送信される、請求項１から５のいずれか１項に記載の方法。
【請求項７】
前記無線キャリヤ（３０２）は、単一のダウンリンクキャリヤ又はマルチキャリヤである、請求項１から６のいずれか１項に記載の方法。
【請求項８】
前記無線通信システム（３００）は、高速ダウンリンクパケットアクセス（ＨＳＤＰＡ）システムである、請求項１から７のいずれか１項に記載の方法。
【請求項９】
前記ＴＴＩはサブフレームである、請求項１から８のいずれか１項に記載の方法。
【請求項１０】
無線通信システム（３００）内のユーザ機器（３０５）をスケジューリングするための、基地局（３０１）における方法であって、前記無線通信システム（３００）は多入力多出力（ＭＩＭＯ）モードにあり、４つの送信アンテナを備え、前記基地局（３０１）は無線キャリヤ（３０２）を介して前記ユーザ機器（３０５）に接続される前記方法は：
複数の送信時間間隔（ＴＴＩ）に亘って前記ユーザ機器（３０５）からチャネル状態情報（ＣＳＩ）を受信すること（９０１）であって、前記ＣＳＩは、チャネル品質情報（ＣＱＩ）、ランクインジケータ（ＲＩ）、プリコーディングチャネルインジケータ（ＰＣＩ）、及びハイブリッド自動再送要求  承認／非承認（ＨＡＲＱ  ＡＣＫ／ＮＡＣＫ）を含む、受信すること（９０１）；
第１のＴＴＩにおいて前記ＨＡＲＱ  ＡＣＫ、前記ＣＱＩ及び前記ＲＩを受信すること（９０１ａ）；並びに
前記受信したＣＳＩに基づいて、前記ユーザ機器（３０５）をスケジューリングすること（９０３）；
前記受信したＲＩに基づいてランダムＰＣＩを選択すること（９０２）；
を含み、
前記受信したＣＳＩに基づいて前記ユーザ機器（３０５）を前記スケジューリングすること（９０３）は：
前記ユーザ機器が前記ＲＩを受信したら、前記受信したＨＡＲＱ  ＡＣＫ／ＮＡＣＫ、前記ＣＱＩ、前記ＲＩ及び前記ランダムＰＣＩに基づいて前記ユーザ機器（３０５）をスケジューリングすること（９０３ａ）
をさらに含み、前記方法は：
第２のＴＴＩにおいて前記ＨＡＲＱ  ＡＣＫ／ＮＡＣＫ、前記ＣＱＩ及び前記ＰＣＩを受信すること（９０４）；並びに
第３のＴＴＩにおいて前記ＨＡＲＱ  ＡＣＫ／ＮＡＣＫ、前記ＣＱＩ及び前記ＰＣＩを受信すること（９０５）
を更に含み、
前記第２のＴＴＩで受信される前記ＰＣＩは、前記ＰＣＩの最も重要なビット（ＰＣＩ  ＭＳＢ）を示し、前記第３のＴＴＩで受信される前記ＰＣＩは、前記ＰＣＩの最も重要でないビット（ＰＣＩ  ＬＳＢ）を示す、基地局（３０１）における方法。
【請求項１１】
前記ＨＡＲＱ  ＡＣＫ／ＮＡＣＫ及び前記ＣＱＩは、前記複数のＴＴＩの各ＴＴＩにおいて受信され、前記ＲＩ及び前記ＰＣＩは、前記複数のＴＴＩの部分集合において時間多重化される、請求項１０に記載の方法。
【請求項１２】
前記ＨＡＲＱ  ＡＣＫ／ＮＡＣＫ、前記ＲＩ及び前記ＰＣＩは、前記複数のＴＴＩの各ＴＴＩにおいて受信され、前記ＣＱＩは、前記複数のＴＴＩの部分集合において時間多重化される、請求項１０または１１に記載の方法。
【請求項１３】
前記ＨＡＲＱ  ＡＣＫ／ＮＡＣＫ、前記ＲＩ、前記ＰＣＩ及び前記ＣＱＩは、前記複数のＴＴＩの各ＴＴＩにおいて受信される、請求項１０から１２のいずれか１項に記載の方法。
【請求項１４】
前記受信したＣＳＩに基づいて前記ユーザ機器（３０５）を前記スケジューリングすること（９０３）は：
伝送ブロック、変調及び符号化スキーム、並びにプリコーディング制御索引を前記ユーザ機器（３０５）にスケジューリングすること（９０３ｂ）
を更に含む、請求項１０から１３のいずれか１項に記載の方法。
【請求項１５】
高速共有制御チャネル（ＨＳ‐ＳＣＣＨ）を用いて、前記ユーザ機器（３０５）に前記スケジューリングに関する情報を送信すること（９０６）；及び
高速物理ダウンリンク共有チャネル（ＨＳ‐ＰＤＳＣＨ）を用いて、前記ユーザ機器（３０５）にダウンリンクデータトラフィックを送信すること（９０７）
を更に含む、請求項１０から１４のいずれか１項に記載の方法。
【請求項１６】
前記ＣＳＩは、高速専用物理制御チャネル（ＨＳ‐ＤＰＣＣＨ）を用いて前記ユーザ機器（３０５）から受信される、請求項１０から１５のいずれか１項に記載の方法。
【請求項１７】
前記無線キャリヤ（３０２）は、単一のダウンリンクキャリヤ又はマルチキャリヤである、請求項１０から１６のいずれか１項に記載の方法。
【請求項１８】
前記無線通信システム（３００）は、高速ダウンリンクパケットアクセス（ＨＳＤＰＡ）システムである、請求項１０から１７のいずれか１項に記載の方法。
【請求項１９】
前記ＴＴＩはサブフレームである、請求項１０から１８のいずれか１項に記載の方法。
【請求項２０】
基地局（３０１）が無線通信システム（３００）内のユーザ機器（３０５）をスケジューリングできるようにするための、前記ユーザ機器（３０５）であって、
前記無線通信システム（３００）は多入力多出力（ＭＩＭＯ）モードにあり、４つの送信アンテナを備え、前記ユーザ機器（３０５）は無線キャリヤ（３０２）を介して前記基地局（３０１）に接続される、前記ユーザ機器（３０５）は：
共通パイロットインジケータチャネル（ＣＰＩＣＨ）に関する情報に基づいて、チャネル状態情報（ＣＳＩ）を決定するよう構成された、決定ユニット（８０１）であって、前記ＣＳＩは、チャネル品質情報（ＣＱＩ）、ランクインジケータ（ＲＩ）、プリコーディングチャネルインジケータ（ＰＣＩ）、及びハイブリッド自動再送要求  承認／非承認（ＨＡＲＱ  ＡＣＫ／ＮＡＣＫ）を含む、決定ユニット（８０１）；並びに
前記基地局（３０１）が前記ユーザ機器（３０５）をスケジューリングできるようにするために、複数の送信時間間隔（ＴＴＩ）に亘って前記基地局（３０１）に前記ＣＳＩを送信するよう構成された、トランスミッタ（８０３）
を備え、
前記トランスミッタ（８０３）は：
第１のＴＴＩで前記ＨＡＲＱ  ＡＣＫ／ＮＡＣＫ、前記ＣＱＩ及び前記ＲＩを送信し；
第２のＴＴＩで前記ＨＡＲＱ  ＡＣＫ／ＮＡＣＫ、前記ＣＱＩ及び前記ＰＣＩを送信し；並びに
第３のＴＴＩで前記ＨＡＲＱ  ＡＣＫ／ＮＡＣＫ、前記ＣＱＩ及び前記ＰＣＩを送信する
ように更に構成され、
前記第２のＴＴＩで送信される前記ＰＣＩは、前記ＰＣＩの最も重要なビット（ＰＣＩ  ＭＳＢ）を示し、
前記第３のＴＴＩで送信される前記ＰＣＩは、前記ＰＣＩの最も重要でないビット（ＰＣＩ  ＬＳＢ）を示す、ユーザ機器（３０５）。
【請求項２１】
前記ＨＡＲＱ  ＡＣＫ／ＮＡＣＫ及び前記ＣＱＩは、前記複数のＴＴＩの各ＴＴＩにおいて送信され、前記ＲＩ及び前記ＰＣＩは、前記複数のＴＴＩの部分集合において時間多重化される、請求項２０に記載のユーザ機器（３０５）。
【請求項２２】
前記ＨＡＲＱ  ＡＣＫ／ＮＡＣＫ、前記ＲＩ及び前記ＰＣＩは、前記複数のＴＴＩの各ＴＴＩにおいて送信され、前記ＣＱＩは、前記複数のＴＴＩの部分集合において時間多重化される、請求項２０または２１に記載のユーザ機器（３０５）。
【請求項２３】
前記ＨＡＲＱ  ＡＣＫ／ＮＡＣＫ、前記ＲＩ、前記ＰＣＩ及び前記ＣＱＩは、前記複数のＴＴＩの各ＴＴＩにおいて送信される、請求項２０から２２のいずれか１項に記載のユーザ機器（３０５）。
【請求項２４】
高速共有制御チャネル（ＨＳ‐ＳＣＣＨ）を用いて、前記基地局（３０１）から前記スケジューリングに関する情報を受信し；及び
高速物理ダウンリンク共有チャネル（ＨＳ‐ＰＤＳＣＨ）を用いて、前記基地局（３０１）からダウンリンクデータトラフィックを受信する
よう構成されたレシーバ（８０５）を更に備える、請求項２０から２３のいずれか１項に記載のユーザ機器（３０５）。
【請求項２５】
前記ＣＳＩは、高速専用物理制御チャネル（ＨＳ‐ＤＰＣＣＨ）を用いて前記基地局（３０１）に送信される、請求項２０から２４のいずれか１項に記載のユーザ機器（３０５）。
【請求項２６】
前記無線キャリヤ（３０２）は、単一のダウンリンクキャリヤ又はマルチキャリヤである、請求項２０から２５のいずれか１項に記載のユーザ機器（３０５）。
【請求項２７】
前記無線通信システム（３００）は、高速ダウンリンクパケットアクセス（ＨＳＤＰＡ）システムである、請求項２０から２６のいずれか１項に記載のユーザ機器（３０５）。
【請求項２８】
前記ＴＴＩはサブフレームである、請求項２０から２７のいずれか１項に記載のユーザ機器（３０５）。
【請求項２９】
無線通信システム（３００）内のユーザ機器（３０５）をスケジューリングするための、基地局（３０１）であって、
前記無線通信システム（３００）は多入力多出力（ＭＩＭＯ）モードにあり、４つの送信アンテナを備え、前記基地局（３０１）は無線キャリヤ（３０２）を介して前記ユーザ機器（３０５）に接続される、前記基地局（３０１）は：
複数の送信時間間隔（ＴＴＩ）に亘って前記ユーザ機器（３０５）からチャネル状態情報（ＣＳＩ）を受信するよう構成されたレシーバ（１００１）であって、前記ＣＳＩは、チャネル品質情報（ＣＱＩ）、ランクインジケータ（ＲＩ）、プリコーディングチャネルインジケータ（ＰＣＩ）、及びハイブリッド自動再送要求  承認／非承認（ＨＡＲＱ  ＡＣＫ／ＮＡＣＫ）を含む、レシーバ（１００１）；並びに
前記受信したＣＳＩに基づいて、前記ユーザ機器（３０５）をスケジューリングするよう構成された、スケジューラ（１００５）
を備え、
前記レシーバ（１００１）は、  第１のＴＴＩにおいて前記ＨＡＲＱ  ＡＣＫ／ＮＡＣＫ、前記ＣＱＩ及び前記ＲＩを受信するよう、更に構成され、
前記基地局（３０１）は：
前記受信したＲＩに基づいてランダムＰＣＩを選択するよう構成された、選択ユニット（１００７）；
を更に備え、
前記スケジューラ（１００５）は、前記ユーザ機器が前記ＲＩを受信したら、前記受信したＨＡＲＱ  ＡＣＫ／ＮＡＣＫ、前記ＣＱＩ、前記ＲＩ及び前記ランダムＰＣＩに基づいて前記ユーザ機器（３０５）をスケジューリングするよう、更に構成され、
前記レシーバ（１００１）は：
第２のＴＴＩにおいて前記ＨＡＲＱ  ＡＣＫ／ＮＡＣＫ、前記ＣＱＩ及び前記ＰＣＩを受信し；並びに
第３のＴＴＩにおいて前記ＨＡＲＱ  ＡＣＫ／ＮＡＣＫ、前記ＣＱＩ及び前記ＰＣＩを受信する
よう、更に構成され、
前記第２のＴＴＩで受信される前記ＰＣＩは、前記ＰＣＩの最も重要なビット（ＰＣＩ  ＭＳＢ）を示し、
前記第３のＴＴＩで受信される前記ＰＣＩは、前記ＰＣＩの最も重要でないビット（ＰＣＩ  ＬＳＢ）を示す、基地局（３０１）。
【請求項３０】
前記ＨＡＲＱ  ＡＣＫ／ＮＡＣＫ及び前記ＣＱＩは、前記複数のＴＴＩの各ＴＴＩにおいて受信され、前記ＲＩ及び前記ＰＣＩは、前記複数のＴＴＩの部分集合において時間多重化される、請求項２９に記載の基地局（３０１）。
【請求項３１】
前記ＨＡＲＱ  ＡＣＫ／ＮＡＣＫ、前記ＲＩ及び前記ＰＣＩは、前記複数のＴＴＩの各ＴＴＩにおいて受信され、前記ＣＱＩは、前記複数のＴＴＩの部分集合において時間多重化される、請求項２９または３０に記載の基地局（３０１）。
【請求項３２】
前記ＨＡＲＱ  ＡＣＫ／ＮＡＣＫ、前記ＲＩ、前記ＰＣＩ及び前記ＣＱＩは、前記複数のＴＴＩの各ＴＴＩにおいて受信される、請求項２９から３１のいずれか１項に記載の基地局（３０１）。
【請求項３３】
前記スケジューラ（１００５）は、伝送ブロック、変調及び符号化スキーム、並びにプリコーディング制御索引を前記ユーザ機器（３０５）にスケジューリングするよう、更に構成される、請求項２９から３２のいずれか１項に記載の基地局（３０１）。
【請求項３４】
高速共有制御チャネル（ＨＳ‐ＳＣＣＨ）を用いて、前記ユーザ機器（３０５）に前記スケジューリングに関する情報を送信し；及び
高速物理ダウンリンク共有チャネル（ＨＳ‐ＰＤＳＣＨ）を用いて、前記ユーザ機器（３０５）にダウンリンクデータトラフィックを送信する
よう構成されたトランスミッタ（１０１０）を更に備える、請求項２９から３３のいずれか１項に記載の基地局（３０１）。
【請求項３５】
前記ＣＳＩは、高速専用物理制御チャネル（ＨＳ‐ＤＰＣＣＨ）を用いて前記ユーザ機器（３０５）から受信される、請求項２９から３４のいずれか１項に記載の基地局（３０１）。
【請求項３６】
前記無線キャリヤ（３０２）は、単一のダウンリンクキャリヤ又はマルチキャリヤである、請求項２９から３５のいずれか１項に記載の基地局（３０１）。
【請求項３７】
前記無線通信システム（３００）は、高速ダウンリンクパケットアクセス（ＨＳＤＰＡ）システムである、請求項２９から３６のいずれか１項に記載の基地局（３０１）。
【請求項３８】
前記ＴＴＩはサブフレームである、請求項２９から３７のいずれか１項に記載の基地局（３０１）。
【発明の詳細な説明】
【技術分野】
【０００１】
本明細書中の実施形態は一般に、ユーザ機器、上記ユーザ機器における方法、基地局、及び上記基地局における方法に関する。より詳細には、本明細書中の実施形態は、無線通信システムにおける上記ユーザ機器のスケジューリングに関する。
【背景技術】
【０００２】
典型的な移動体通信ネットワーク（無線通信システム又は単にシステムとも呼ぶ）では、ユーザ機器（Ｕｓｅｒ  Ｅｑｕｉｐｍｅｎｔ：ＵＥ）が無線アクセスネットワーク（Ｒａｄｉｏ  Ａｃｃｅｓｓ  Ｎｅｔｗｏｒｋ：ＲＡＮ）を介して１つ又は複数のコアネットワーク（Ｃｏｒｅ  Ｎｅｔｗｏｒｋ：ＣＮ）と通信する。
【０００３】
ユーザ機器は移動体端末であり、加入者はこの移動体端末によって、操作者のコアネットワークが提供するサービス、並びに操作者のＲＡＮ及びＣＮがアクセスを提供する操作者のネットワーク外のサービスにアクセスできる。ユーザ機器は例えば、携帯電話、セルラー電話、スマートフォン、タブレットコンピュータ又は無線機能を有するラップトップ等の通信デバイスであってよい。ユーザ機器は、可搬性であるか、ポケットに保管可能であるか、携帯式であるか、コンピュータに含まれているか、又は車両に設置されている、移動体デバイスであってよく、無線アクセスネットワークを介して音声及び／又はデータを別のユーザ機器又はサーバ等といった別のエンティティと通信できる。
【０００４】
ユーザ機器はシステム内で無線通信できる。この通信は例えば、２つのユーザ機器間、ユーザ機器と通常の電話との間、及び／又はユーザ機器とサーバとの間で、このシステムが備える無線アクセスネットワーク及び場合によっては１つ又は複数のコアネットワークを介して実施できる。
【０００５】
無線アクセスネットワークは、複数のセルエリアに分割される１つの地域をカバーし、各セルエリアは、基地局、例えば無線基地局（Ｒａｄｉｏ  Ｂａｓｅ  Ｓｔａｔｉｏｎ：ＲＢＳ）によって提供される。無線アクセスネットワークによっては、基地局はｅｖｏｌｖｅｄ  ＮｏｄｅＢ（ｅＮＢ）、ＮｏｄｅＢ、又はＢｎｏｄｅとも呼ばれる。セルは、基地局サイトにおいて基地局が無線カバレッジを提供する地域である。各セルは、セルで一斉通信されるローカル無線エリア内の識別子によって識別される。基地局は、無線周波数上で動作する無線インタフェースを介して、基地局の範囲内のユーザ機器と通信する。
【０００６】
第３世代移動体通信システム標準化プロジェクト（ｔｈｅ  ｔｈｉｒｄ  Ｇｅｎｅｒａｔｉｏｎ  Ｐａｒｔｎｅｒｓｈｉｐ  Ｐｒｏｊｅｃｔ：３ＧＰＰ）によって標準化された高速パケットアクセス（Ｈｉｇｈ  Ｓｐｅｅｄ  Ｐａｃｋｅｔ  Ａｃｃｅｓｓ：ＨＳＰＡ）は、モバイルブロードバンドデータサービスと組み合わせた音声サービスの提供をサポートする。ＨＳＰＡは、高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ：ＨＳＤＰＡ）、高速アップリンクパケットアクセス（Ｈｉｇｈ  Ｓｐｅｅｄ  Ｕｐｌｉｎｋ  Ｐａｃｋｅｔ  Ａｃｃｅｓｓ：ＨＳＵＰＡ）、及びＨＳＰＡ＋を含む。ＨＳＤＰＡにより、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）に基づくシステムは、より速いデータ転送速度及びより高いデータ転送性能を有することができる。ＨＳＤＰＡでは、新規の伝送層チャネル、即ち高速ダウンリンク共有チャネル（Ｈｉｇｈ  Ｓｐｅｅｄ  Ｄｏｗｎｌｉｎｋ  Ｓｈａｒｅｄ  ＣＨａｎｎｅｌ：ＨＳ‐ＤＳＣＨ）を、３ＧＰＰ  ＵＭＴＳ  リリース５及び更なる複数の仕様に追加している。これは、３つの新規の物理層チャネル、即ち：高速共有制御チャネル（Ｈｉｇｈ  Ｓｐｅｅｄ‐Ｓｈａｒｅｄ  Ｃｏｎｔｒｏｌ  ＣＨａｎｎｅｌ：ＨＳ‐ＳＣＣＨ）、アップリンク高速専用物理制御チャネル（Ｕｐｌｉｎｋ  Ｈｉｇｈ  Ｓｐｅｅｄ‐Ｄｅｄｉｃａｔｅｄ  Ｐｈｙｓｉｃａｌ  Ｃｏｎｔｒｏｌ  ＣＨａｎｎｅｌ：ＨＳ‐ＤＰＣＣＨ）、高速物理ダウンリンク共有チャネル（Ｈｉｇｈ  Ｓｐｅｅｄ‐Ｐｈｙｓｉｃａｌ  Ｄｏｗｎｌｉｎｋ  Ｓｈａｒｅｄ  ＣＨａｎｎｅｌ：ＨＳ‐ＰＤＳＣＨ）を導入することによって、実装される。ＨＳ‐ＳＣＣＨは、ＨＳ‐ＤＳＣＨ上で２スロット先にデータを送信することをユーザ機器に知らせる。ＨＳ‐ＤＰＣＣＨは、ユーザ機器の応答情報及び現在のチャネル品質標識（Ｃｈａｎｎｅｌ  Ｑｕａｌｉｔｙ  Ｉｎｄｉｃａｔｏｒ：ＣＱＩ）を搬送する。次にこの値を用いて、基地局が、次の送信においてユーザ機器に送信するべきデータ量を算出する。ＨＳ‐ＰＤＳＣＨは、実際のユーザデータを搬送する上述のＨＳ‐ＤＳＣＨ伝送チャネルにマッピングされたチャネルである。ＨＳＰＡは、ハイブリッド自動再送要求（Ｈｙｂｒｉｄ  Ａｕｔｏｍａｔｉｃ  Ｒｅｐｅａｔ  ｒｅＱｕｅｓｔ：ＨＡＲＱ）を用いてエラーから迅速に復帰できる。ＨＡＲＱは、壊れたパケット破棄するのではなく、これらを受信デバイスに記憶することによって、システムのエラーからより迅速に復帰できる技術である。再送信されたパケットがエラーを有する場合でさえ、複数の不良パケットの組み合わせから良好なパケットを導出できる。ここで使用した用語「ダウンリンク」は、「ＤＬ」と略す場合もあり、基地局からユーザ機器へ向かう方向のリンクである。
【０００７】
多入力多出力（Ｍｕｌｔｉｐｌｅ  Ｉｎｐｕｔ  Ｍｕｌｔｉｐｌｅ  Ｏｕｔｐｕｔ：ＭＩＭＯ）は、トランスミッタ及びレシーバに複数のアンテナを有するいずれの通信システムを指し、通信性能を向上させるために使用される。用語「入力」及び「出力」は、信号を搬送する無線チャネルに関するものであり、アンテナを有するデバイスに関するものではない。トランスミッタ（Ｔｘ）において、複数のアンテナを用いて、送信ダイバーシティによってフェーディングの影響を軽減することができ、また空間分割多重アクセスによってスループットを向上させることができる。レシーバ（Ｒｘ）では、ダイバーシティ利得及び結合利得を提供するレシーバの結合に対して、複数のアンテナが用いられる。複数のアンテナをトランスミッタ及びレシーバの両方で利用できる場合、異なるデータストリームを各アンテナから送信でき、ここで各データストリームは異なる情報を搬送するが同一の周波数資源を利用する。例えば、２つの送信アンテナを用い、１つのアンテナが２つの別個のデータストリームを送信できる。レシーバにおいて、これらのデータストリームをその空間特性に基づいて復調するために、複数のアンテナが必要となる。一般に、レシーバのアンテナの必要最小限の数は、別個のデータストリームの数に等しい。４×４ＭＩＭＯ（４分岐ＭＩＭＯとも呼ばれる）又はＭＩＭＯモードのシステムは、最大４つのデータストリームをサポートできる。
【０００８】
第４世代移動通信システム（Ｉｎｔｅｒｎａｔｉｏｎａｌ  Ｍｏｂｉｌｅ  Ｔｅｌｅｃｏｍｍｕｎｉｃａｔｉｏｎｓ‐Ａｄｖａｎｃｅｄ：ＩＭＴ‐Ａ）によって設定された要件を満たすために、長きに亘るＨＳＰＡの発展に関していくつかの新規の特徴が追加されている。これらの新規の特徴の主な目的は、平均周波数利用効率を上昇させることである。ダウンリンク周波数利用効率を改善するために考えられる１つの技術は、４分岐ＭＩＭＯのサポートを導入すること、即ち、空間多重化利得を増強するため、及びビーム形成能力を改善するために、最大４つの送信及び受信アンテナを利用することである。４分岐ＭＩＭＯは、高信号対雑音比（Ｓｉｇｎａｌ  ｔｏ  Ｎｏｉｓｅ  Ｒａｔｉｏ：ＳＮＲ）ユーザ機器に対して、５ＭＨｚのキャリヤにつき最大８４Ｍｂｐｓを提供し、また低ＳＮＲユーザ機器に対するカバレッジを改善する。
【０００９】
チャネルフィードバック情報により、例えば基地局に位置するスケジューラが、どのユーザ機器に対して並行して供給を行うべきかを決定できる。ユーザ機器は、基地局に３種類のチャネルフィードバック情報：ＣＱＩ、ＲＩ、ＰＭＩを送信するよう構成される。ＣＱＩは、チャネルフィードバック情報の重要な部分である。ＣＱＩは基地局に、その時点でユーザ機器がサポートしているリンク適合パラメータに関する情報を提供する。ＣＱＩを利用して、符号化速度及び変調アルファベット、並びに空間多重化データストリームの数を決定する。ＲＩはランクインジケータ（Ｒａｎｋ  Ｉｎｄｉｃａｔｏｒ）又はランク情報（Ｒａｎｋ  Ｉｎｆｏｒｍａｔｉｏｎ）の略であり、層の数、即ち空間多重化において使用するストリームの数に関する、ユーザ機器の推奨値である。これは好ましい伝送ブロックの数と等しいことは、当業者には理解できるであろう。ＲＩは、ユーザ機器が空間多重化と共にＭＩＭＯモードで動作する場合のみ報告される。ＲＩは２×２ＭＩＭＯ構成では１又は２の値を有してよく、４×４ＭＩＭＯ構成では１〜４の値を有してよい。ＲＩはＣＱＩレポートと関連している。これは、ＣＱＩが特定のＲＩ値を想定して算出されることを意味している。ＲＩは典型的には、ＣＱＩよりも緩慢に変化する。ＰＭＩはプリコーディング行列インジケータ（Ｐｒｅｃｏｄｉｎｇ  Ｍａｔｒｉｘ  Ｉｎｄｉｃａｔｏｒ）の略であり、コードブックを元にしたプリコーディングにおける好ましいプリコーディング行列に関する情報を提供する。ＰＭＩは、ユーザ機器がＭＩＭＯで動作する場合のみ報告される。コードブック中のプリコーディング行列の数は、基地局のアンテナポートの数に依存する。例えばアンテナポートが４つである場合、ＲＩ及びユーザ機器の能力に応じて、最大６４の行列が可能となる。プリコーディング制御インジケータ（Ｐｒｅｃｏｄｉｎｇ  Ｃｏｎｔｒｏｌ  Ｉｎｄｉｃａｔｏｒ：ＰＣＩ）は、基地局において送信信号に適用される特定のプリコーディングベクトルを示す。
【００１０】
図１は、典型的なデータ呼び出し設定中に基地局とユーザ機器との間で交換されるメッセージを示す。本方法は以下のステップを含み、これらのステップはいずれの適切な順序で実施できる。
【００１１】
ステップ１０１
基地局は、定電力のダウンリンクチャネルであり、かつ既知のビットシーケンスのチャネルである、共通パイロットインジケータチャネル（Ｃｏｍｍｏｎ  Ｐｉｌｏｔ  Ｉｎｄｉｃａｔｏｒ  ＣＨａｎｎｅｌ：ＣＰＩＣＨ）を一斉通信し、これによってユーザ機器はチャネルを推定して、ステップ１０２においてＣＱＩ及びＰＣＩを計算できる。
【００１２】
ステップ１０２
ユーザ機器はステップ１０１のＣＰＩＣＨからチャネルを推定し、ＣＱＩ及びＰＣＩを計算する。
【００１３】
２つのアンテナに関して、ＣＱＩは以下のように計算される。
【数１】
0005989801.tif 000002
ここでＣＱＩは、個々の層についてのチャネル品質である。ＣＱＩ１は第１の符号語のＣＱＩを表し、ＣＱＩ２は第２の符号語のＣＱＩを表し、ＣＱＩＳは単一のストリームのＣＱＩを表す。数値３１を用いて、２つの符号語と１つの符号語とを区別する。ＣＱＩが３１未満である場合、これは１つの符号語送信である。
【００１４】
ステップ１０３
ＨＳ‐ＤＰＣＣＨを用いて、ステップ１０２で計算された情報、即ちＣＱＩ及びＰＣＩを、ＨＡＲＱ  ＡＣＫ／ＮＡＣＫと共に基地局に報告する。ＨＳ‐ＤＰＣＣＨの周期は１サブフレーム、例えば２ミリ秒である。３ＧＰＰリリース５からリリース９のＨＳ‐ＤＰＣＣＨは、１×ＳＦ２５６を用いる解決方法に基づく。ＳＦは拡散係数（Ｓｐｒｅａｄｉｎｇ  Ｆａｃｔｏｒ）の略である。ＨＳ‐ＤＰＣＣＨの構造を図２ａ及び２ｂに示す。図２ａは、上記構造内のＰＣＩ及びＣＱＩの一般的な配置を示し、図２ｂは、上記構造内にＰＣＩ及びＣＱＩを配置する方法の一例を示す。公知のように、ＨＳ‐ＤＰＣＣＨサブフレーム構造は、ＨＡＲＱ  ＡＣＫ／ＮＡＣＫ送信のための１つのスロット及びＣＱＩ／ＰＣＩ送信のための２つのスロットを備える。以下において、本文又は図面がＨＡＲＱ  ＡＣＫに関するものであっても、同じことがＨＡＲＱ  ＮＡＣＫにも当てはまり得るものとして理解される。ＡＣＫは「承認（ＡＣＫｎｏｗｌｅｄｇｅｍｅｎｔ）」の略であり、ＮＡＣＫは「非承認（Ｎｏｔ  ＡＣＫｎｏｗｌｅｄｇｅｍｅｎｔ）」の略である。
【００１５】
送信時間間隔（Ｔｒａｎｓｍｉｓｓｉｏｎ  Ｔｉｍｅ  Ｉｎｔｅｒｖａｌ：ＴＴＩ）＝２ｍｓの図２ａ及び２ｂのＨＳ‐ＤＰＣＣＨサブフレーム構造は、ユーザ機器が正しいダウンリンクデータを受信したこと、又は受信していないことを基地局に通知するＨＡＲＱ  ＡＣＫ又はＮＡＣＫを含む。フィールドは以下のように定義される：１‐ＮＡＣＫ、０‐ＡＣＫ、即ち１はＮＡＣＫを表し、０はＡＣＫを表す。ＣＱＩは、ＣＰＩＣＨ強度に基づくＰＣＩを反映する。各サブフレームは、１つのＨＡＲＱ  ＡＣＫ／ＮＡＣＫ、２つのＣＱＩ‐フィールド、及び１つのＰＣＩフィールドを含む。換言すると、全てのサブフレームは同一のフィールドを含む。
【００１６】
ＭＩＭＯをカバーする３ＧＰＰリリース７について、ＨＡＲＱ  ＡＣＫ／ＮＡＣＫコードブックは、６つの符号語及びプリアンブル／ポストアンブル（ＰＲＥａｍｂｌｅ／ＰＯＳＴａｍｂｌｅ：ＰＲＥ／ＰＯＳＴ）情報を含む。
【００１７】
３ＧＰＰリリース７では、ＣＱＩのタイプに応じて、ＣＱＩを記述するために５又は２×４ビットが割り当てられる。ランク１及び２それぞれについて、ストリームにつき３０又は１５のＣＱＩ値が存在する。ランクは１から、送信及び受信アンテナの数の最小値までの間で変化し得る。ランクは、同時に良好に送信できる層の数を決定し、これは送信ランクとも呼ばれる。ランクは暗に、ＣＱＩを介して信号送信される。更に、各ストリームに関するＣＱＩは、互いに独立して信号送信される。ＣＱＩのビットに加えて、好ましいプリコーディング情報を信号送信するために２ビットが割り当てられる。続いて７（又は１０）情報ビットを、第２のスロットと第３のスロットとの間で送信される２０チャンネルビットに符号化する。
【００１８】
図１に戻る。
【００１９】
ステップ１０４
基地局がＣＱＩ、ＰＣＩ及びＨＡＲＱ  ＡＣＫ／ＮＡＣＫを受信すると、基地局は、ダウンリンク送信に使用するためのスケジューリングの後で、必要なチャネル化コード、変調及び符号化、プリコーディングチャネル索引をユーザ機器に割り当てる。
【００２０】
ステップ１０５
基地局はＨＳ‐ＳＣＣＨを用いて、ステップ１０４で割り当てられたチャネル化コード、変調及び符号化、プリコーディングチャネル索引に関する情報をユーザ機器に送信する。
【００２１】
ステップ１０６
ユーザ機器は、ＨＳ‐ＳＣＣＨ上の送信を検知する。即ち、ユーザ機器はステップ１０５で送信された情報を受信する。
【００２２】
ステップ１０７
ユーザ機器がＨＳ‐ＳＣＣＨ上の送信を検知したら、基地局はＨＳ‐ＰＤＳＣＨを用いて、データトラフィックチャネルを通したユーザ機器へのダウンリンク送信を開始する。基地局はＴＴＩ（ＨＳＤＰＡでは２ミリ秒）毎にユーザ機器への送信を周期的に行う。
【００２３】
一般に、ＨＳ‐ＤＰＣＣＨの設計は、サポートされている符号語の数、ＨＡＲＱプロセスの数、プリコーディングコードブック等の多数の因子に依存している。４分岐ＭＩＭＯは２つの符号語及び２つのＨＡＲＱプロセスをサポートすることになる。
【００２４】
現行のＨＳＤＰＡシステム（３ＧＰＰリリース７‐１０）は、基地局の１つ又は２つの送信アンテナをサポートしている。これらの現行のシステムでは、ユーザ機器はチャネルサウンディングからチャネルを測定し、１つのサブフレーム内のチャネル状態情報を報告する。サブフレームは例えば１つのＴＴＩ（例えば１ミリ秒又は２ミリ秒であってよい）として定義してよい。典型的には、この報告は、ＲＩ及びＰＣＩを明白に示すＣＱＩからなる。ユーザ機器は全てのサブフレームに関して周期的に、即ち全ＴＴＩについて、この報告を基地局に送信する。基地局がこの報告を受信すると、基地局はスケジューラのメトリックに基づいて、変調及び符号化スキーム（Ｍｏｄｕｌａｔｉｏｎ  ａｎｄ  Ｃｏｄｉｎｇ  Ｓｃｈｅｍｅ：ＭＣＳ）、符号の数、ランク並びにＰＣＩを各特定のユーザ機器に対して承諾する。この情報に基づいて、基地局は各ＴＴＩに関するダウンリンクスループットを最適化できる。
【発明の概要】
【発明が解決しようとする課題】
【００２５】
従って本明細書中の実施形態の目的は、無線通信システム内のユーザ機器の、改善されたスケジューリングを提供することである。
【課題を解決するための手段】
【００２６】
第１の態様によると、上記目的は、基地局が無線通信システム内のユーザ機器をスケジューリングできるようにするための、ユーザ機器における方法によって達成される。無線通信システムはＭＩＭＯモードにあり、４つの送信アンテナを備える。ユーザ機器は無線キャリヤを介して基地局に接続される。ユーザ機器は、ＣＰＩＣＨに関する情報に基づいてチャネル状態情報（Ｃｈａｎｎｅｌ  Ｓｔａｔｅ  Ｉｎｆｏｒｍａｔｉｏｎ：ＣＳＩ）を決定する。ＣＳＩは、ＣＱＩ、ＲＩ、ＰＣＩ、ＨＡＲＱ  ＡＣＫ／ＮＡＣＫを含む。ユーザ機器は、複数のＴＴＩに亘って基地局にＣＳＩを送信し、これによって基地局はユーザ機器をスケジューリングできる。
【００２７】
第２の態様によると、上記目的は、無線通信システム内のユーザ機器をスケジューリングするための、基地局における方法によって達成される。無線通信システムはＭＩＭＯモードにあり、４つの送信アンテナを備える。基地局は無線キャリヤを介してユーザ機器に接続される。基地局は、複数のＴＴＩに亘ってユーザ機器からＣＳＩを受信する。ＣＳＩは、ＣＱＩ、ＲＩ、ＰＣＩ、ＨＡＲＱ  ＡＣＫ／ＮＡＣＫを含む。基地局は受信したＣＳＩに基づいてユーザ機器をスケジューリングする。
【００２８】
第３の態様によると、上記目的は、基地局が無線通信システム内のユーザ機器をスケジューリングできるようにするために、ユーザ機器によって達成される。無線通信システムはＭＩＭＯモードにあり、４つの送信アンテナを備える。ユーザ機器は無線キャリヤを介して基地局に接続される。ユーザ機器は、ＣＰＩＣＨに関する情報に基づいてＣＳＩを決定するよう構成された決定ユニットを備える。ＣＳＩは、ＣＱＩ、ＲＩ、ＰＣＩ、ＨＡＲＱ  ＡＣＫ／ＮＡＣＫを含む。ユーザ機器は、複数のＴＴＩに亘って基地局にＣＳＩを送信するよう構成されたトランスミッタを更に備え、これによって基地局はユーザ機器をスケジューリングできる。
【００２９】
第４の態様によると、上記目的は、無線通信システム内のユーザ機器をスケジューリングするために、基地局によって達成される。無線通信システムはＭＩＭＯモードにあり、４つの送信アンテナを備える。基地局は無線キャリヤを介してユーザ機器に接続される。基地局は、複数のＴＴＩに亘ってユーザ機器からＣＳＩを受信するよう構成されたレシーバを備える。ＣＳＩは、ＣＱＩ、ＲＩ、ＰＣＩ、ＨＡＲＱ  ＡＣＫ／ＮＡＣＫを含む。基地局は、受信したＣＳＩに基づいてユーザ機器をスケジューリングするよう構成されたスケジューラを更に備える。
【００３０】
ＨＡＲＱ  ＡＣＫ／ＮＡＣＫ、ＣＱＩ、ＲＩ、ＰＣＩは、４分岐ＭＩＭＯフィードバックチャネルに適合した構造内で送信されるため、無線通信システム内のユーザ機器のスケジューリングが改善される。従ってユーザ機器を、完全なチャネル状態情報（３つのサブフレーム）を待つことなく第１のサブフレーム後にスケジューリングでき、これによって、１サブフレーム分の遅延という発生し得る遅延を低減できる。これにより、遅延に影響されやすいデータの応用を大幅に改善できる。
【００３１】
本明細書中の実施形態は多数の利点をもたらす。その非包括的な例は以下の通りである。
【００３２】
本明細書中の実施形態は、ダウンリンク周波数利用効率を改善し、平均周波数利用効率を上昇させるという利点を有し得る。
【００３３】
本明細書中の実施形態の別の利点は、これらの実施形態により空間多重化利得を増大し、ビーム形成能力が向上することであり得る。
【００３４】
本明細書中の実施形態は、これらが４分岐ＭＩＭＯフィードバックチャネル設計に対して使用されるため、最小限の規格の変更しか必要としないという利点を提供する。
【００３５】
本明細書中の実施形態は、上述の特徴及び利点に限定されるものではない。以下の詳細な説明を読めば、当業者は更なる特徴及び利点を理解できるであろう。
【００３６】
本明細書中の実施形態について、これら実施形態を図示する添付の図面を参照して、以下の詳細な説明においてより詳細に説明する。
【図面の簡単な説明】
【００３７】
【図１】図１は、従来技術による方法を示す信号送信図である。
【図２ａ】図２ａは、ＨＳ‐ＤＰＣＣＨ構造を示す概略ブロック図である。
【図２ｂ】図２ｂは、ＨＳ‐ＤＰＣＣＨ構造を示す概略ブロック図である。
【図３】図３は、通信システムの実施形態を示す概略ブロック図である。
【図４】図４は、方法の実施形態を示す信号送信図である。
【図５ａ】図５ａは、ＨＳ‐ＤＰＣＣＨ構造の実施形態を示す概略ブロック図である。
【図５ｂ】図５ｂは、ＨＳ‐ＤＰＣＣＨ構造の実施形態を示す概略ブロック図である。
【図５ｃ】図５ｃは、ＨＳ‐ＤＰＣＣＨ構造の実施形態を示す概略ブロック図である。
【図６】図６は、リンクレベル性能のシミュレーションを示すグラフである。
【図７】図７は、ユーザ機器における方法の実施形態を示すフローチャートである。
【図８】図８は、ユーザ機器の実施形態を示す概略ブロック図である。
【図９】図９は、基地局における方法の実施形態を示すフローチャートである。
【図１０】図１０は、基地局の実施形態を示す概略ブロック図である。
【図１１】図１１は、基地局の実施形態を示す概略ブロック図である。
【図１２】図１２は、ユーザ機器の実施形態を示す概略ブロック図である。
【発明を実施するための形態】
【００３８】
図面は必ずしも正確な縮尺ではなく、分かりやすくするために特定の特徴の寸法を拡大してある場合がある。本明細書中の実施形態の原理を図示するにあたって強調を施した場合もある。
【００３９】
４分岐ＭＩＭＯの導入には、ユーザ機器から基地局にＣＱＩ／ＰＣＩ情報を送信するための新規のフィードバックチャネル構造が必要となる。２符号語４分岐ＭＩＭＯの使用が推奨されるため、２分岐ＭＩＭＯに使用するものと同一のＨＳ‐ＤＰＣＣＨ構造を、４分岐ＭＩＭＯにも使用できる。４分岐ＭＩＭＯはＲＩ及びＰＣＩを報告するためにより多くのビットを必要とするため、現行のものと同一のＨＳ‐ＤＰＣＣＨ構造を使用してどのようにＲＩ、ＰＣＩを報告するかが問題となる。
【００４０】
図３は、本明細書中の実施形態を実装できる無線通信システム３００を示す。いくつかの実施形態では、この無線通信システム３００は、例えばロングタームエボリューション（ＬＴＥ）、ＬＴＥの発展形であるＬＴＥ  Ａｄｖａｎｃｅｄ、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ（登録商標））、ＨＳＰＡ、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））又は他のいずれの３ＧＰＰ無線アクセス技術等の、１つ又は複数の無線アクセス技術に適用できる。無線通信システム３００はＭＩＭＯモードにあり、４つの通信アンテナを備える。無線通信システム３００は、４方向送信アンテナ無線通信システム、４分岐ＭＩＭＯシステム、又は４つの送信アンテナを有するＭＩＭＯモードのシステムと呼んでもよい。
【００４１】
無線通信システム３００は、セルを提供する基地局３０１を備える。基地局３０１は、ＮｏｄｅＢ、ｅＮｏｄｅＢ、又は無線キャリヤ３０２を介してセル内に存在するユーザ機器３０５と通信できる他のいずれのユニット等の基地局であってよい。
【００４２】
ユーザ機器３０５は、例えば携帯電話、スマートフォン、パーソナルデジタルアシスタント（ＰＤＡ）、タブレットコンピュータ、ラップトップ、ＭＰ３プレイヤー又はポータブルＤＶＤプレイヤー（又は同様のメディアコンテンツデバイス）、デジタルカメラ、又はＰＣのような設置型デバイスであるが、これらに限定されるものではなく、無線チャネル３０２を介して基地局３０１と通信できる通信能力を有するいずれの適切な通信デバイス又はコンピュータデバイスであってよい。ＰＣは、一斉通信／マルチキャストメディアの終端局としての移動局を介して接続してもよい。ユーザ機器３０５はまた、例えば電子フォトフレーム、心臓監視装置、侵入又はその他の監視装置、気象情報監視システム、車両、自動車又は運輸通信装置等の中に組み込まれた通信デバイスであってもよい。いくつかの図では、ユーザ機器３０５をＵＥと表記している。
【００４３】
ＭＩＭＯについて記載する３ＧＰＰリリース７について、ＨＡＲＱ  ＡＣＫ／ＮＡＣＫコードブックは、６つの符号語及びＰＲＥ／ＰＯＳＴを含む。ＨＡＲＱ  ＡＣＫ／ＮＡＣＫの設計思想から、２つの符号語に関して、２つのＨＡＲＱプロセスが３ＧＰＰリリース７からのＨＡＲＱ  ＡＣＫ／ＮＡＣＫコードブック（全てのランクに関する共通のコードブック）を使用すると考えられる。
【００４４】
マルチキャリヤエボリューションステップの再使用によって、複数のキャリヤを有する４×４ＤＬ  ＭＩＭＯのためのＨＡＲＱ  ＡＣＫ／ＮＡＣＫ信号伝達の拡張を容易にすることができる。２つのキャリヤに関して、３ＧＰＰリリース９の符号語のうちの幾つかを再使用して、ＡＣＫ／ＮＡＣＫを共に符号化できる。マルチキャリヤと同様に、１つのキャリヤがＤＴＸされる場合を含む必要がある。３〜４つのキャリヤに関しては当然、キャリヤを２つずつにグループ化してＤＴＸ符号語を導入することにより、３ＧＰＰリリース１０のマルチキャリヤ動作を再使用する。ＤＴＸは不連続送信（ｄｉｓｃｏｎｔｉｎｕｏｕｓ  ｔｒａｎｓｍｉｓｓｉｏｎ）の略である。
【００４５】
基地局３０１が、いくつかの実施形態による無線通信システム３００のユーザ機器３０５をスケジューリングできるようにするための方法について、図４に示す複合的な信号送信図及びフローチャートを参照して説明する。無線通信システム３００はＭＩＭＯモードにあり、４つの通信アンテナを備える。本方法は以下のステップを含み、これらのステップは以下の説明とは異なる適切な順序でも実施できる。
【００４６】
ステップ４０１
基地局３０１は、定電力のダウンリンクチャネルであり、かつ既知のビットシーケンスのチャネルである、ＣＰＩＣＨを一斉通信し、これによってユーザ機器３０５はチャネル３０２を推定又は測定して、ステップ４０２においてＣＱＩ、ＲＩ及びＰＣＩを計算できる。
【００４７】
ステップ４０２
ユーザ機器３０５はステップ４０１のＣＰＩＣＨからＣＳＩを決定する。即ちチャネル３０２を推定又は測定し、ＣＱＩ、ＲＩ及びＰＣＩを計算する。
【００４８】
２つのアンテナに関して、ＣＱＩは以下のように計算される。
【数２】
0005989801.tif 000003
ここでＣＱＩは、個々の層についてのチャネル品質である。ＣＱＩ１は第１の符号語のＣＱＩを表し、ＣＱＩ２は第２の符号語のＣＱＩを表し、ＣＱＩＳは単一のストリームのＣＱＩを表す。数値３１を用いて、２つの符号語と１つの符号語とを区別する。ＣＱＩが３１未満である場合、これは１つの符号語送信である。
【００４９】
ステップ４０３
２つのＨＡＲＱプロセスを有する４分岐ＭＩＭＯについて、ユーザ機器３０５はフィードバックチャネルを通して、ステップ４０２で計算したパラメータに関して基地局３０１に周期的に通知する。ＨＡＲＱ  ＡＣＫ／ＮＡＣＫ情報は、３ＧＰＰリリース７のものと同一の構造を有する。
【００５０】
符号語に対するＣＱＩについて、規格において２つの符号語が定義されているため、本明細書中の実施形態によると２つの符号語（各５ビット）が必要となる。２つのＨＡＲＱプロセスについて、２つのＣＱＩが必要となり、これらは３ＧＰＰリリース７のものと同一である。３ＧＰＰリリース７のＣＱＩテーブルを再使用してよい。
【００５１】
上述のように、ＲＩはユーザ機器３０５にとって好ましい層（２ビット）の数、即ち好ましい伝送ブロックの数を示す。最大４つのストリームが可能であるため、ランク情報を表示するために２つの専用のビットを使用することが推奨される。
【００５２】
ＲＩ（４ビット）中のＰＣＩについて、４ビットはプリコーディングの重みを示すものと考えられる。単一のコードブック（単一のフィードバック率）を用いることになるか、又は各偏波状態内での相関関係を捕捉する内部コードブック及び２つの偏波方向を同相化するか又は回転させるために使用する外部コードブックを備える、製品コードブックを用いることになるかが、１つの問題である。内部プリコーダはチャネルの長期特性を対象とし、外部プリコーダは短期特性を対象とするため、異なるフィードバック率をこれら２つのプリコーダに関して使用してよい。
【００５３】
２つのＨＡＲＱプロセスを有するＨＳ‐ＤＰＣＣＨに関するいくつかの例示的な設計上の選択肢を、以下に説明する。
・実施例１：時間多重化ＲＩ／ＰＣＩ
・実施例２：時間多重化ＣＱＩ
・実施例３：１つのサブフレーム内のＣＱＩ／ＲＩ／ＰＣＩ
【００５４】
図５ａに実施例１を示す。図５ａは、時間多重化ＲＩ及びＰＣＩを有するＨＳ‐ＤＰＣＣＨ構造を示す。ユーザ機器にとって好ましいランク情報が第１のＴＴＩ、即ちサブフレームに示されていること、及びＰＣＩビットが次の２つのＴＴＩにおいて時間多重化されることがわかる。ＴＴＩは、報告間隔と呼んでもよい。図５ａでは、ＰＣＩ  ＭＳＢはＰＣＩの最も重要なビットを示し、ＰＣＩ  ＬＳＢはＰＣＩの最も重要でないビットを示す。ＭＳＢは最上位ビット（Ｍｏｓｔ  Ｓｉｇｎｉｆｉｃａｎｔ  Ｂｉｔ）の略であり、ＬＳＢは最下位ビット（Ｌｅａｓｔ  Ｓｉｇｎｉｆｉｃａｎｔ  Ｂｉｔ）の略である。この構造の背後にある主たる概念は、チャネルの二次統計量であるランク情報が緩慢に変化し、ＲＩ／ＰＣＩの遅延情報はリンクレベル性能に影響を与えないという概念である。この場合、第２及び第３のＴＴＩにおいて報告されるＣＱＩは、第１のＴＴＩにおいて報告されたＲＩを条件とすることがわかる。なお、ＰＣＩが次の２つのＴＴＩで多重化されるのは単なる例に過ぎない。第１のＴＴＩの後の複数のＴＴＩでＰＣＩを多重化してもよい。図５ａでは、ＲＩ、ＰＣＩ  ＭＳＢ及びＰＣＩ  ＬＳＢは、連結したＲＩ／ＰＣＩ符号語として解釈される。
【００５５】
図６は、１つのＴＴＩで完全なＣＱＩ／ＲＩ／ＰＣＩが送信される場合、及び全てのＴＴＩでＣＱＩが送信され、ＲＩ／ＰＣＩが３つのＴＴＩに亘って時間多重化される場合に関する、リンクレベル性能のシミュレーションを示す。図６のｘ軸はデシベル（ｄＢ）を表す。図６のｙ軸はスループットをＭｂｐｓで表す。四角印の線は完全なＣＳＩを示し、ここではＣＱＩ／ＲＩ／ＰＣＩは同一のＴＴＩで送信される。丸印の線は遅延したＣＳＩを示し、ここではＣＱＩは全てのＴＴＩで送信され、ＲＩ／ＰＣＩは３つのＴＴＩに亘って時間多重化される。図６のリンクレベルシミュレーションは、ＰＡ３チャネルに関して示されたものである。これら２つのグラフの間の性能の差は極めて小さいが、これは性能がＲＩ／ＰＣＩよりもＣＱＩに依存するためである。ＨＡＲＱ  ＡＣＫ又はＮＡＣＫは、ユーザ機器３０５が正しいダウンリンクデータを受信したか受信していないかを基地局３０１に知らせる。フィールドは以下のように定義される：１‐ＮＡＣＫ、０‐ＡＣＫ、即ち値１がＮＡＣＫを表し、値０がＡＣＫを表す。
【００５６】
図５に戻る。
【００５７】
時間多重化ＣＱＩを有するＨＳ‐ＤＰＣＣＨを示す図５ｂに、実施例２を示す。第１のＴＴＩ即ちサブフレームでは、第１の符号語に関するＣＱＩが送信され、第２の符号語が送信される。ＲＩ及びＰＣＩビットは全てのＴＴＩで送信される。
【００５８】
図５ｃに実施例３を示し、この図は設計に関するこのような選択肢の構造を示す。ＣＱＩ／ＲＩ／ＰＣＩビットは１つのＴＴＩ即ちサブフレームで送信される。この場合、全てのビットがＨＳ‐ＤＰＣＣＨの既存の構造に適合しないため、ＳＦ又はエンコーダを変更する必要があることがわかる。拡散係数は、信号がどの程度拡散するかを記述する。
【００５９】
図５ａから図５ｃに例示された上述の設計に関する選択肢に加えて、ＨＳ‐ＤＰＣＣＨを、３ＧＰＰリリース７で報告されるタイプＢと同等の低いランクに関して、及び上記設計に関する選択肢のいずれか１つを使用できる高いランクに関して、最適化してよい。
【００６０】
図４に戻る。
【００６１】
ステップ４０４
ステップ４０３で報告されたＣＳＩを基地局３０１が受信すると、基地局３０１は、伝送ブロック、変調及び符号化スキーム、プリコーディング制御索引をスケジューリングする。理想的には、ユーザ機器３０５は３つのＴＴＩの後でしか完全なチャネル情報を得ることができないため、ユーザ機器３０５をスケジューリングするために３つのＴＴＩが必要となり得る。ユーザ機器３０５から完全なＣＳＩを得るために待機する代わりに、基地局３０１は、ＲＩを得ると、即ち第１のＴＴＩを受信した後で、ユーザ機器３０５のスケジューリングを開始できる。スケジューリングのために、基地局３０１はＲＩが示すサブセット内でランダムなＰＣＩを選択できる。ランダムに選択されたＰＣＩは、第２のＴＴＩが受信することになる元のＰＣＩと完全に同一でなくてよい。しかしながら、ＰＣＩの誤差による影響は最小である。
【００６２】
ステップ４０５
ステップ４０４からの、伝送ブロック、変調及び符号化スキーム、プリコーディング制御索引に関する情報は、ＨＳ‐ＳＣＣＨを用いて、基地局３０１からユーザ機器３０５に送信される。
【００６３】
ステップ４０６
ユーザ機器３０５はＨＳ‐ＳＣＣＨを検知する。
【００６４】
ステップ４０７
ユーザ機器３０５がＨＳ‐ＳＣＣＨを検知したら、ＨＳ‐ＰＤＳＣＨを用いて、データトラフィックチャネルを通した基地局３０１からのダウンリンク送信が開始される。基地局はＴＴＩ（ＨＳＤＰＡでは２ミリ秒）毎にユーザ機器への送信を周期的に行う。
【００６５】
なお、以上の説明は４分岐ＭＩＭＯを単一のダウンリンクキャリヤに適用することを想定しているが、４分岐ＭＩＭＯをマルチキャリヤＨＳＤＰＡ動作と組み合わせて使用する場合には、これらの実施形態を拡張するのは容易であることに留意されたい。
【００６６】
ここで、ユーザ機器３０５からの視点で上述の方法を説明する。図７は、基地局３０１が無線通信システム３００内のユーザ機器３０５をスケジューリングできるようにするための、ユーザ機器３０５における本方法を説明するフローチャートである。無線通信システム３００はＭＩＭＯモードにあり、４つの送信アンテナを備える。ユーザ機器３０５は、無線キャリヤ３０２を介して基地局３０１に接続される。いくつかの実施形態では、無線キャリヤ３０２は単一のダウンリンクキャリヤ又はマルチキャリヤである。いくつかの実施形態では、無線通信システム３００はＨＳＤＰＡシステムである。本方法は、ユーザ機器３０５が実施する以下のステップを含み、これらのステップはいずれの適切な順序で実施できる。
【００６７】
ステップ７０１
このステップは図４のステップ４０２に対応している。ユーザ機器３０５は、ＣＰＩＣＨに関する情報に基づいてＣＳＩを決定する。ＣＳＩはＣＱＩ、ＲＩ、ＰＣＩ及びＨＡＲＱ  ＡＣＫ／ＮＡＣＫを含む。ユーザ機器３０５をスケジューリングするために、基地局３０１がＣＳＩを必要とする。
【００６８】
ステップ７０２
このステップは図４のステップ４０３に対応している。ユーザ機器３０５は、複数のＴＴＩに亘って基地局３０１にＣＳＩを送信する。
【００６９】
いくつかの実施形態では、ＨＡＲＱ  ＡＣＫ／ＮＡＣＫ及びＣＱＩが複数のＴＴＩの各ＴＴＩにおいて送信され、ＲＩ及びＰＣＩが複数のＴＴＩの部分集合において時間多重化される。
【００７０】
いくつかの実施形態では、ＨＡＲＱ  ＡＣＫ／ＮＡＣＫ、ＲＩ及びＰＣＩが複数のＴＴＩの各ＴＴＩにおいて送信され、ＣＱＩが複数のＴＴＩの部分集合において時間多重化される。
【００７１】
いくつかの実施形態では、ＨＡＲＱ  ＡＣＫ／ＮＡＣＫ、ＲＩ、ＰＣＩ及びＣＱＩが複数のＴＴＩの各ＴＴＩにおいて送信される。
【００７２】
いくつかの実施形態では、ＨＳ‐ＤＰＣＣＨを用いてＣＳＩを基地局３０１に送信する。いくつかの実施形態では、ＴＴＩはサブフレームである。
【００７３】
ユーザ機器３０５は、第１のＴＴＩでＨＡＲＱ  ＡＣＫ／ＮＡＣＫ、ＣＱＩ及びＲＩを送信してよい。
【００７４】
ユーザ機器３０５は、第２のＴＴＩでＨＡＲＱ  ＡＣＫ／ＮＡＣＫ、ＣＱＩ及びＰＣＩを送信してよい。第２のＴＴＩで送信されるＰＣＩは、ＰＣＩ  ＭＳＢと呼ばれるＰＣＩの最も重要なビットを示す。
【００７５】
ユーザ機器３０５は、第３のＴＴＩでＨＡＲＱ  ＡＣＫ／ＮＡＣＫ、ＣＱＩ及びＰＣＩを送信してよい。第３のＴＴＩで送信されるＰＣＩは、ＰＣＩ  ＬＳＢと呼ばれるＰＣＩの最も重要でないビットを示す。
【００７６】
ステップ７０３
このステップは図４のステップ４０５に対応している。ユーザ機器３０５は、ＨＳ‐ＳＣＣＨを用いて基地局３０１からスケジューリングに関する情報を受信する。
【００７７】
ステップ７０４
このステップは図４のステップ４０７に対応している。ユーザ機器３０５は、ＨＳ‐ＰＤＳＣＨを用いて、基地局３０１からダウンリンクデータトラフィックを受信する。
【００７８】
基地局３０１が無線通信システム３００内のユーザ機器３０５をスケジューリングできるようにするための、図７に示す方法ステップを実施するために、ユーザ機器３０５は、図８に示すような構成を備える。無線通信システム３００はＭＩＭＯモードにあり、４つの送信アンテナを備える。ユーザ機器は、無線キャリヤ３０２を介して基地局３０１に接続される。いくつかの実施形態では、無線キャリヤ３０２は単一のダウンリンクキャリヤ又はマルチキャリヤである。いくつかの実施形態では、無線通信システム３００はＨＳＤＰＡシステムである。
【００７９】
ユーザ機器３０５は、ＣＰＩＣＨに関する情報に基づいてＣＳＩを決定するよう構成された決定ユニット８０１を備える。ＣＳＩは、ＣＱＩ、ＲＩ、ＰＣＩ及びＨＡＲＱ  ＡＣＫ／ＮＡＣＫを含む。
【００８０】
ユーザ機器３０５は更に、複数のＴＴＩに亘って基地局３０１にＣＳＩを送信して、基地局３０１がユーザ機器３０５をスケジューリングできるようにするよう構成された、トランスミッタ８０３を備える。ＨＡＲＱ  ＡＣＫ／ＮＡＣＫ及びＣＱＩを複数のＴＴＩの各ＴＴＩにおいて送信してよく、ＲＩ及びＰＣＩを複数のＴＴＩの部分集合において時間多重化してよい。別の実施形態では、ＨＡＲＱ  ＡＣＫ／ＮＡＣＫ、ＲＩ及びＰＣＩを複数のＴＴＩの各ＴＴＩにおいて送信し、ＣＱＩを複数のＴＴＩの部分集合において時間多重化する。更なる実施形態では、ＨＡＲＱ  ＡＣＫ／ＮＡＣＫ、ＲＩ、ＰＣＩ及びＣＱＩを複数のＴＴＩの各ＴＴＩにおいて送信する。トランスミッタ８０３は更に、ＨＡＲＱ  ＡＣＫ／ＮＡＣＫ、ＣＱＩ及びＲＩを第１のＴＴＩで送信し、ＨＡＲＱ  ＡＣＫ／ＮＡＣＫ、ＣＱＩ及びＰＣＩを第２のＴＴＩで送信し、ＨＡＲＱ  ＡＣＫ／ＮＡＣＫ、ＣＱＩ及びＰＣＩを第３のＴＴＩで送信するよう構成される。第２のＴＴＩで送信されるＰＣＩは、ＰＣＩの最も重要なビット（ＰＣＩ  ＭＳＢ）を示し、第３のＴＴＩで送信されるＰＣＩは、ＰＣＩの最も重要でないビット（ＰＣＩ  ＬＳＢ）を示す。いくつかの実施形態では、ＣＳＩはＨＳ‐ＤＰＣＣＨを用いて基地局３０１に送信される。いくつかの実施形態では、ＴＴＩはサブフレームである。
【００８１】
いくつかの実施形態では、ユーザ機器３０５は更に、ＨＳ‐ＳＣＣＨを使用して基地局３０１からスケジューリングに関する情報を受信するよう、及びＨＳ‐ＰＤＳＣＨを使用して基地局３０１からダウンリンクデータトラフィックを受信するよう構成された、レシーバ８０５を備える。
【００８２】
ユーザ機器３０５は更に、１つ又は複数のメモリユニットを備えるメモリ８０７を備えてよい。メモリ８０７は、データ、ＣＱＩ、ＰＣＩ、ＲＩ、ＨＡＲＱ  ＡＣＫ／ＮＡＣＫ、閾値、期間、構成、スケジューリング、及びユーザ機器３０５内で実行された場合に本方法を実施できるアプリケーションを記憶するために使用するよう配設される。
【００８３】
上述の決定ユニット８０１、トランスミッタ８０３及びレシーバ８０５は、アナログ回路とデジタル回路の組み合わせ、及び／又は、１つ又は複数のプロセッサによって実行される場合には、例えばメモリに保存されているソフトウェア及び／又はファームウェアによって構成された１つ又は複数のプロセッサに関するものであってよいことも、当業者は理解するであろう。これらのプロセッサのうちの１つ又は複数、及びその他のデジタルハードウェアは、単一の特定用途向け集積回路（Ａｐｐｌｉｃａｔｉｏｎ-Ｓｐｅｃｉｆｉｃ  Ｉｎｔｅｇｒａｔｅｄ  Ｃｉｒｃｕｉｔ：ＡＳＩＣ）に備えられていてよく、又はいくつかのプロセッサ及び様々なデジタルハードウェアは、独立して梱包された又はシステムオンチップ（ＳｏＣ）として組み付けられたいくつかの別個の構成部品に分散させてよい。
【００８４】
ここで、基地局３０１からの視点で上述の方法を説明する。図９は、無線通信システム３００内のユーザ機器３０５をスケジューリングするための、基地局３０１における本方法を説明するフローチャートである。無線通信システム３００はＭＩＭＯモードにあり、４つの送信アンテナを備える。基地局３０１は、無線キャリヤ３０２を介してユーザ機器３０５に接続される。いくつかの実施形態では、無線キャリヤ３０２は単一のダウンリンクキャリヤ又はマルチキャリヤである。いくつかの実施形態では、無線通信システム３００はＨＳＤＰＡシステムである。本方法は、基地局３０１が実施する以下のステップを含み、これらのステップはいずれの適切な順序で実施できる。
【００８５】
ステップ９０１
基地局３０１は、複数のＴＴＩに亘ってユーザ機器３０５からＣＳＩを受信する。ＣＳＩはＣＱＩ、ＲＩ、ＰＣＩ及びＨＡＲＱ  ＡＣＫ／ＮＡＣＫを備える。
【００８６】
いくつかの実施形態では、ＨＡＲＱ  ＡＣＫ／ＮＡＣＫ及びＣＱＩが複数のＴＴＩの各ＴＴＩにおいて受信され、ＲＩ及びＰＣＩが複数のＴＴＩの部分集合において時間多重化される。いくつかの実施形態では、ＨＡＲＱ  ＡＣＫ／ＮＡＣＫ、ＲＩ及びＰＣＩが複数のＴＴＩの各ＴＴＩにおいて受信され、ＣＱＩが複数のＴＴＩの部分集合において時間多重化される。いくつかの実施形態では、ＨＡＲＱ  ＡＣＫ／ＮＡＣＫ、ＲＩ、ＰＣＩ及びＣＱＩが複数のＴＴＩの各ＴＴＩにおいて受信される。
【００８７】
いくつかの実施形態では、ＣＳＩはＨＳ‐ＤＰＣＣＨを用いてユーザ機器３０５から受信される。いくつかの実施形態では、ＴＴＩはサブフレームである。
【００８８】
ステップ９０１ａ
いくつかの実施形態では、基地局３０１は第１のＴＴＩにおいてＨＡＲＱ  ＡＣＫ／ＮＡＣＫ、ＣＱＩ及びＲＩを受信する。
【００８９】
ステップ９０２
いくつかの実施形態では、基地局３０１は受信したＲＩに基づいてランダムＰＣＩを選択する。
【００９０】
ステップ９０３
基地局３０１は、受信したＣＳＩに基づいてユーザ機器３０５をスケジューリングする。
【００９１】
ステップ９０３ａ
ユーザ機器がＲＩを受信したら、基地局３０１は、受信したＨＡＲＱ  ＡＣＫ／ＮＡＣＫ、ＣＱＩ、ＲＩ及びランダムＰＣＩに基づいてユーザ機器３０５をスケジューリングする。
【００９２】
ステップ９０３ｂ
いくつかの実施形態では、基地局３０１は、伝送ブロック、変調及び符号化スキーム、並びにプリコーディング制御索引をユーザ機器３０５にスケジューリングする。
【００９３】
ステップ９０４
基地局３０１は、第２のＴＴＩにおいてＨＡＲＱ  ＡＣＫ／ＮＡＣＫ、ＣＱＩ及びＰＣＩを受信する。
【００９４】
ステップ９０５
基地局３０１は、第３のＴＴＩにおいてＨＡＲＱ  ＡＣＫ／ＮＡＣＫ、ＣＱＩ及びＰＣＩを受信する。第２のＴＴＩで受信したＰＣＩは、ＰＣＩの最も重要なビットを示し、第３のＴＴＩで受信したＰＣＩは、ＰＣＩの最も重要でないビットを示す。
【００９５】
ステップ９０６
いくつかの実施形態では、基地局３０１はＨＳ‐ＳＣＣＨを用いて、ユーザ機器３０５にスケジューリングに関する情報を送信する。
【００９６】
ステップ９０７
いくつかの実施形態では、基地局３０１はＨＳ‐ＰＤＳＣＨを用いて、ユーザ機器３０５にダウンリンクデータトラフィックを送信する。
【００９７】
無線通信システム３００内のユーザ機器３０５をスケジューリングするための、図９に示す方法ステップを実施するために、基地局３０１は、図１０に示すような構成を備える。無線通信システム３００はＭＩＭＯモードにあり、４つの送信アンテナを備える。基地局３０１は、無線キャリヤ３０２を介してユーザ機器３０５に接続される。いくつかの実施形態では、無線キャリヤ３０２は単一のダウンリンクキャリヤ又はマルチキャリヤである。いくつかの実施形態では、無線通信システム３００はＨＳＤＰＡシステムである。
【００９８】
基地局３０１は、複数のＴＴＩに亘ってユーザ機器３０５からＣＳＩを受信するよう構成されたレシーバ１００１を備える。ＣＳＩは、ＣＱＩ、ＲＩ、ＰＣＩ及びＨＡＲＱ  ＡＣＫ／ＮＡＣＫを含む。いくつかの実施形態では、ＨＡＲＱ  ＡＣＫ／ＮＡＣＫ及びＣＱＩが複数のＴＴＩの各ＴＴＩにおいて受信され、ＲＩ及びＰＣＩが複数のＴＴＩの部分集合において時間多重化される。いくつかの実施形態では、ＨＡＲＱ  ＡＣＫ／ＮＡＣＫ、ＲＩ及びＰＣＩが複数のＴＴＩの各ＴＴＩにおいて受信され、ＣＱＩが複数のＴＴＩの部分集合において時間多重化される。いくつかの実施形態では、ＨＡＲＱ  ＡＣＫ／ＮＡＣＫ、ＲＩ、ＰＣＩ及びＣＱＩが複数のＴＴＩの各ＴＴＩにおいて受信される。
【００９９】
いくつかの実施形態では、レシーバ１００１は更に、第１のＴＴＩにおいてＨＡＲＱ  ＡＣＫ／ＮＡＣＫ、ＣＱＩ及びＲＩを受信するよう構成される。いくつかの実施形態では、レシーバ１００１は更に、第２のＴＴＩにおいてＨＡＲＱ  ＡＣＫ／ＮＡＣＫ、ＣＱＩ及びＰＣＩを受信するよう構成される。レシーバ１００１は更に、第３のＴＴＩにおいてＨＡＲＱ  ＡＣＫ／ＮＡＣＫ、ＣＱＩ及びＰＣＩを受信するよう構成してよい。第２のＴＴＩで受信したＰＣＩは、ＰＣＩの最も重要なビットを示し、第３のＴＴＩで受信したＰＣＩは、ＰＣＩの最も重要でないビットを示す。いくつかの実施形態では、ＣＳＩはＨＳ‐ＤＰＣＣＨを用いてユーザ機器３０５から受信される。いくつかの実施形態では、ＴＴＩはサブフレームである。
【０１００】
基地局３０１は更に、受信したＣＳＩに基づいてユーザ機器３０５をスケジューリングするよう構成されたスケジューラ１００５を備える。いくつかの実施形態では、スケジューラ１００５は更に、ユーザ機器がＲＩを受信したら、受信したＨＡＲＱ  ＡＣＫ／ＮＡＣＫ、ＣＱＩ、ＲＩ及びランダムＰＣＩに基づいてユーザ機器３０５をスケジューリングするように構成される。いくつかの実施形態では、スケジューラ１００５は更に、伝送ブロック、変調及び符号化スキーム、並びにプリコーディング制御索引をユーザ機器３０５にスケジューリングするよう構成される。
【０１０１】
いくつかの実施形態では、基地局３０１は更に、受信したＲＩに基づいてランダムＰＣＩを選択するよう構成された選択ユニット１００７を備える。
【０１０２】
いくつかの実施形態では、基地局３０１は、ＨＳ‐ＳＣＣＨを使用してスケジューリングに関する情報をユーザ機器３０５に送信するよう、及びＨＳ‐ＰＤＳＣＨを使用してダウンリンクデータトラフィックをユーザ機器３０５に送信するよう構成された、トランスミッタ１０１０を備える。
【０１０３】
基地局３０１は更に、１つ又は複数のメモリユニットを備えるメモリ１０１５を備えてよい。メモリ１０１５は、データ、ＨＡＲＱ  ＡＣＫ／ＮＡＣＫ、ＣＱＩ、ＲＩ、ＰＣＩ、閾値、期間、構成、スケジューリング、及び基地局３０１内で実行された場合に本方法を実施できるアプリケーションを記憶するために使用するよう配設される。
【０１０４】
上述のレシーバ１００１、スケジューラ１００５、選択ユニット１００７及びトランスミッタ１０１０は、アナログ回路とデジタル回路の組み合わせ、及び／又は、１つ又は複数のプロセッサによって実行される場合には、例えばメモリに保存されているソフトウェア及び／又はファームウェアによって構成された１つ又は複数のプロセッサに関するものであってよいことも、当業者は理解するであろう。これらのプロセッサのうちの１つ又は複数、及びその他のデジタルハードウェアは、単一のＡＳＩＣに備えられていてよく、又はいくつかのプロセッサ及び様々なデジタルハードウェアは、独立して梱包された又はＳｏＣとして組み付けられたいくつかの別個の構成部品に分散させてよい。
【０１０５】
基地局３０１が無線通信システム３００内のユーザ機器３０５をスケジューリングできるようにするための本機構は、図８に示すユーザ機器３０５内のプロセッサ８１０及び図１０に示す基地局３０１内のプロセッサ１０２０等の１つ又は複数のプロセッサ、並びに本明細書中の実施形態の機能を実施するためのコンピュータプログラムコードによって実装してよい。プロセッサは例えば、デジタル信号プロセッサ（Ｄｉｇｉｔａｌ  Ｓｉｇｎａｌ  Ｐｒｏｃｅｓｓｏｒ：ＤＳＰ）、ＡＳＩＣプロセッサ、フィールドプログラマブルゲートアレイ（ＦＰＧＡ）プロセッサ又はマイクロプロセッサであってよい。上述のプログラムコードは、例えばユーザ機器３０５及び／又は基地局３０１に搭載された場合に本明細書中の実施形態を実施するためのコンピュータプログラムコードを担持するデータキャリヤの形態の、コンピュータプログラム製品として提供してもよい。このようなキャリヤの一例は、ＣＤ  ＲＯＭディスクの形態であってよい。しかしながら、メモリスティック等のその他のデータキャリヤも使用できる。コンピュータプログラムコードは更に、サーバ上の純粋なプログラムコードとして提供してよく、ユーザ機器３０５及び／又は基地局３０１にダウンロードしてよい。
【０１０６】
上述の実施形態のいくつかの例示的な実装形態について説明する。上述の解決方法は、いずれの適切な通信規格をサポートしかついずれの適切な構成部品を使用する、いずれの適切なタイプの遠距離通信において実装してよく、上述の解決方法の特定の実施形態は、図３に示したようなＨＳＤＰＡシステムにおいて実装できる。
【０１０７】
例示的なシステムは更に、ユーザ機器３０５の間又はユーザ機器３０５と固定電話等の別の通信デバイスとの間の通信の支援に適したいずれの追加の要素を備えてよい。図示した無線ユーザ機器３０５は、ハードウェア及び／又はソフトウェアのいずれの適切な組み合わせを備える通信デバイスを表し得るが、特定の実施形態では、このデバイスは、図１２により詳細に示した例示的なユーザ機器３０５のようなデバイスを表してよい。同様に、図示した基地局３０１は、ハードウェア及び／又はソフトウェアのいずれの適切な組み合わせを備える基地局を表し得るが、特定の実施形態では、これらのノードは、図１１により詳細に示した例示的な基地局３０１のようなデバイスを表してよい。
【０１０８】
図１１に示すように、例示的な基地局３０１は、処理回路１１２０、メモリ１１３０、無線回路１１１０、ネットワークインタフェース１１４０及び少なくとも１つのアンテナを備える。処理回路１１２０は、無線周波数（ＲＦ）回路及びベースバンド処理回路（図示せず）を備えてよい。特定の実施形態では、移動基地局、基地局コントローラ、リレーノード、ＮｏｄｅＢ、拡張ＮｏｄｅＢ、及び／又は他のいずれのタイプの移動通信ノードによって提供されるような上述の機能のうちのいくつか又は全てを、図１１に示すメモリ１１３０等のコンピュータ可読媒体に記憶されている命令を実行する処理回路１１２０によって提供できる。基地局３０１の代替実施形態は、上で明らかにした機能のうちのいずれか及び／又は上述の実施形態を補助するために必要ないずれの機能を含む追加の機能を提供する役割を果たす、追加の構成部品を備えてよい。
【０１０９】
図１２に示すように、例示的なユーザ機器３０５は、処理回路１２２０、メモリ１２３０、無線回路１２１０及び少なくとも１つのアンテナを備える。無線回路１２１０は、ＲＦ回路及びベースバンド処理回路（図示せず）を備えてよい。特定の実施形態では、移動通信デバイス又は他の形態のデバイスによって提供されるような上述の機能のうちのいくつか又は全てを、図１２に示すメモリ１２３０等のコンピュータ可読媒体に記憶されている命令を実行する処理回路１２２０によって提供できる。ユーザ機器３０５の代替実施形態は、上述の機能のうちのいずれか及び／又は上述の実施形態を補助するために必要ないずれの機能を含む、ユーザ機器の機能の特定の態様を提供する役割を果たし得る、図１２に示したもの以外の追加の構成部品を備えてよい。
【０１１０】
いくつかの実施形態によると、４分岐ＭＩＭＯのためのフィードバックチャネルの設計に関する選択肢は、２つの符号語及び２つのＨＡＲＱ処理を前提としている。既存の機能を再使用しないことが明らかな利益となる場合を除いて、既存の機能を再使用してよい。マルチキャリヤ動作と組み合わせて４分岐ＭＩＭＯをサポートすることには複数の利点がある。これらの利益が十分であると考えられる場合、１〜４つのキャリヤに亘る、ダウンリンクマルチキャリヤ動作と組み合わせた４分岐ＭＩＭＯの動作を可能とすることができる。ダウンリンクマルチキャリヤ動作と共に適用する場合、単一のアップリンクキャリヤと組み合わせて４分岐ＭＩＭＯを動作させることができる。ＨＳ‐ＤＰＣＣＨを４×４ＤＬ  ＭＩＭＯのために設計する際に、例えばマルチキャリヤのような既存の技術を再使用する努力をしながら、良好に機能する実施形態を同時に求めることが、１つの一般的な目標であり得る。一例として、可能であれば、利用可能なコードブックを再使用すると有益となる。
【０１１１】
要約すると、２つのＨＡＲＱプロセスを有する４分岐ＭＩＭＯシステムのためのＨＳ‐ＤＰＣＣＨ構造のための、設計に関する選択肢のうちのいくつかについて、以上で議論した。これらの設計上の選択肢の主要な目的は、既存のＨＳ‐ＤＰＣＣＨ構造を再使用することである。シミュレーションにより、時間多重化ＲＩ／ＰＣＩは、ＨＡＲＱコードブックの設計にいずれの大きな変化を与えることのない、良好な設計上の選択肢であることが示されている。いくつかの実施形態では、ＲＩ／ＰＣＩビットは、既存の３ＧＰＰリリース１０のＨＳ‐ＤＰＣＣＨ構造で時間多重化される。いくつかの実施形態では、ＨＳ‐ＤＰＣＣＨのために２つの異なる構造を使用してよく、一方は低ランク送信に対して最適化され、他方は高ランク送信に対して最適化される。
【０１１２】
本明細書中の実施形態は、上述の好ましい実施形態に限定されない。様々な代替形態、修正形態及び均等物を使用してよい。従って上述の実施形態は、実施形態の範囲を限定するものとして解釈してはならない。
【０１１３】
本明細書で用いる場合、用語「を備える、含む（ｃｏｍｐｒｉｓｅｓ／ｃｏｍｐｒｉｓｉｎｇ）」は、明記した特徴、実体、ステップ又は構成部品の存在を特定するものとして解釈されるが、１つ又は複数の他の特徴、実体、ステップ、構成部品又はこれらの群の存在又は追加を排除するものではないことを強調しておく。また、ある要素の前に置かれる単語「ある、１つの（ａ又はａｎ）」は、このような要素が複数存在することを排除するものではないことにも留意されたい。
【図１】
0005989801.tif 000004
【図２ａ】
0005989801.tif 000005
【図２ｂ】
0005989801.tif 000006
【図３】
0005989801.tif 000007
【図４】
0005989801.tif 000008
【図５ａ】
0005989801.tif 000009
【図５ｂ】
0005989801.tif 000010
【図５ｃ】
0005989801.tif 000011
【図６】
0005989801.tif 000012
【図７】
0005989801.tif 000013
【図８】
0005989801.tif 000014
【図９】
0005989801.tif 000015
【図１０】
0005989801.tif 000016
【図１１】
0005989801.tif 000017
【図１２】
0005989801.tif 000018